(57)【要約】【課題】移動端末と親機が無線で通信して、移動端末を持つ帰宅者がどれくらい近づいているかを検知すること。【解決手段】移動端末１０００と親機２０００とが、お互いの通信距離を段階的に制御可能な第１の送受信手段１００および第２の送受信手段２００とを具備し、端末１０００と車両２０００とが遠距離通信（Ｓ５００）、あるいは、中距離通信（Ｓ５４０）、あるいは、近距離通信（Ｓ５７０）、あるいは、接触通信（Ｓ６００）でそれぞれ通信可能であった時、それぞれにおいて通信距離を報知（Ｓ５１０、Ｓ５５０、Ｓ５８０）、または、ドアロックを開錠（Ｓ６１０）することを特徴とする移動通信システム。【選択図】図３
2006304141.tif 000002
【特許請求の範囲】
【請求項１】
通信距離を段階的に制御可能な送受信手段を移動端末と親機とに各々具備し、前記段階的に制御した通信距離ごとに、前記端末と親機とが通信して通信可能であれば、その時点の通信距離に関する情報を報知することを特徴とする移動通信システム。
【請求項２】
前記送受信手段は、
接触状態（例えば数センチ以内）で通信可能な接触モード、
それよりも少し離れた（例えば数メートル以内）で通信可能な近距離モード、
さらにそれよりも離れた（例えば数十メートル以内）で通信可能な中距離モード、
遠隔（例えば数百メートル以内）で通信可能な遠距離モード
のうち少なくとも２つ以上を切り換えて通信距離を制御する請求項１記載の移動通信システム。
【請求項３】
親機が玄関ロックの開錠手段を具備し、移動端末と接触モードで通信した時点で、前記開錠手段にて前記玄関ロックを開錠することを特徴とする請求項２記載の移動通信システム。
【請求項４】
親機が玄関ロックの閉錠手段を具備し、移動端末の位置が、近距離領域から中距離領域、または接触領域から近距離領域、またはモード中距離領域から遠距離領域、に移動したことを確認した時点で、前記閉錠手段にて前記玄関ロックを閉錠することを特徴とする請求項２記載の移動通信システム。
【請求項５】
移動端末が固有のＩＤコードを具備し、親機において前記移動端末から受信した前記ＩＤコードに登録された人や物に関する情報と共に報知することを特徴とする請求項１記載の移動通信システム。
【請求項６】
請求項１〜５のいずれか記載の移動通信システムにおいて、少なくともひとつの手段をコンピュータに実行させるためのプログラム。
【発明の詳細な説明】
【技術分野】
【０００１】
本発明は、移動端末と親機が無線通信して移動端末がどのくらい近くにいるかを段階的に知らせる移動通信システムと、そのプログラムに関するものである。
【背景技術】
【０００２】
携帯電話をはじめとして移動体通信を応用したシステムは数多く提案されており、レーダを用いることなく複数のＰＨＳの基地局からの情報で移動端末の場所を検出する技術が提案されている。
【特許文献１】特開平９−９００１７号公報
【発明の開示】
【発明が解決しようとする課題】
【０００３】
しかしながら、この方法ではＰＨＳ電話網という大規模なインフラを用いたシステムであり、個人レベルにおける簡便なシステムへの要求を満たすものではなく、少なからず固定的な費用（契約料、使用料）も発生するものであり、特に、移動端末との距離を段階的に取得して報知することまでは出来なかった。
【課題を解決するための手段】
【０００４】
そこで、前記従来の課題を解決するために、本発明の移動通信システムと、そのプログラムは、通信距離を段階的に制御可能な送受信手段を移動端末と親機とに各々具備し、
前記段階的に制御した通信距離ごとに、前記移動端末と親機が通信して通信可能であれば、その時点の通信距離に関する情報を報知するようにした。
【発明の効果】
【０００５】
これにより例えば、移動端末を持つ家族が自宅に近づいていることを知り、しかもその距離を段階的に知ることが出来るので、帰宅に備えた準備を前もってすることが出来る。
【０００６】
あるいは、逆に外出については、移動端末を持つ家族が自宅からどこまで離れたところに行ったのかを知り、しかもその距離を段階的に知ることも出来る。
【０００７】
特に、昨今のように子供が被害者となる犯罪が多い状況において、子供が帰宅中であり自宅に近づいていることをリアルタイムで知ることにより、安心感を得ることもできるような簡便な移動通信システムを提供する。
【発明を実施するための最良の形態】
【０００８】
第１の発明は、移動通信システムにおいて、通信距離を段階的に制御可能な送受信手段を移動端末と親機とに各々具備し、前記段階的に制御した通信距離ごとに、前記移動端末と親機が通信して通信可能であれば、その時点の通信距離に関する情報を報知するようにした。
【０００９】
これにより例えば、親機側で移動端末を持つ家族が自宅に近づいていることを知り、しかもその距離を段階的に知ることが出来るので、家族の帰宅に備えて準備をすることが出来る。あるいは、逆に外出については、移動端末を持つ家族が自宅からどこまで離れたところに行ったのかを知り、しかもその距離を段階的に知ることも出来る。
【００１０】
特に、昨今のように子供が被害者となる犯罪が多い状況において、子供が帰宅中であり自宅に近づいていることをリアルタイムで知ることにより、安心感を得ることもできるような簡便な移動通信システムを提供する。
【００１１】
第２の発明は、特に第１の発明の移動通信システムにおいて、接触状態（例えば数センチ以内）で通信可能な接触モード、それよりも少し離れた（例えば数十センチ以内）で通信可能な近距離モード、さらにそれよりも離れた（例えば数メートル以内）で通信可能な中距離モード、遠隔（例えば数十メートル以内）で通信可能な遠距離モードのうち少なくとも２つ以上を切り換えて通信距離を制御するようにした。
【００１２】
これにより、移動端末と親機との距離を段階的に知ることが出来るようになった。
【００１３】
第３の発明は、特に第１の発明の移動通信システムにおいて、親機が玄関ロックの開錠手段を具備し、移動端末と接触モードで通信した時点で、前記開錠手段にて前記玄関ロックを開錠するようにした。
【００１４】
これにより、安全で確実に開錠するキーレスエントリーを実現することが接触モードを用いることにより実現出来る。
【００１５】
第４の発明は、特に第１の発明の移動通信システムにおいて、親機が玄関ロックの閉錠手段を具備し、移動端末の位置が近距離領域から中距離領域に移動したこと（または接触領域から近距離領域、またはモード中距離領域から遠距離領域でもよい）を確認した時点で、前記閉錠手段にて前記玄関ロックを閉錠するようにした。
【００１６】
これにより、安全で確実に閉錠するキーレスエントリーを実現することが近距離モードと、中距離モードを区別して用いることにより実現出来る。
【００１７】
第５の発明は、特に第１の発明の移動通信システムにおいて、移動端末が固有のＩＤコードを具備し、親機において前記移動端末から受信した前記ＩＤコードに登録された人や物に関する情報と共に報知するようにした。
【００１８】
これにより、例えば家族の誰（もしくは持ち物）が帰宅途中（外出途中）であるかということもわかるようになる。
【００１９】
第６の発明は、特に第１〜５いずれかの発明の移動通信システムにおいて、少なくともひとつの機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００２０】
以下、本発明の実施の形態について、図面を用いて一実施形態について詳細に説明する。なお、この実施の形態によって本発明が限定されるものではない。
【００２１】
（実施の形態１）
図１は、本発明の移動通信システム構成の一例を示す図である。図１において、移動端末１０００は帰宅者が携帯して移動するための端末であって、家庭内に設置された親機２０００と小電力無線で通信することを想定している。
【００２２】
移動端末１０００は、第１の送受信手段１００と、それらを含めて全体を制御する第１の制御手段１１０とを具備している。
【００２３】
親機２０００は、第１の送受信手段１００と通信する第２の送受信手段２００と、それらを含めて全体を制御する第２の制御手段２１０と、第２の制御手段２１０により制御されさまざまな報知を行なう報知手段２２０を具備している。
【００２４】
基本となる状態は遠距離モードであり、第１の送受信手段１１０が一定間隔(例えば１秒)ごとに、信号を発信する。この信号には第１の制御手段１１０の内部に記憶された移動端末ごとに固有のＩＤコード情報を含んでいる。
【００２５】
この信号を親機２０００の第２の送受信手段２００が受信し、第２の制御手段２１０で処理を行ない、第２の制御手段２１０の内部に記憶されたＩＤコードと、そのＩＤコードに相当する家族の氏名に関する情報を取得して、家族のだれそれが帰宅途中（外出途中）であるということを報知手段２２０から報知する。
【００２６】
次に通信距離の制御方法について説明する。
【００２７】
図２は、第１の送受信手段１００と、第２の送受信手段２００とに関して、詳細な内部構成を示した図である。
【００２８】
図２において、第１の送受信手段１００は、（送信信号を減衰させる）第１の減衰手段１０と、第１の送信手段１１と、第１の受信手段１２と、第１の送受信制御手段１３とを具備しており、第２の送受信手段２００は、（受信信号を減衰させる）第２の減衰手段２０と、第２の送信手段２１と、第２の受信手段２２と、第２の送受信制御手段２３とを具備している。
【００２９】
なお、第１の減衰手段１０と第２の減衰手段２０は減衰の強度を外部からの制御により変化させることが出来るものであり、それぞれの減衰手段において段階的に減衰の強度を変更することにより、例えば次のような電波強弱による通信距離制御モードを設定することができる。
１）数百メートル以内で通信可能となるような遠距離モード（減衰なし）
２）数十メートル以内で通信可能な中距離モード（減衰中程度）
３）数メートル以内であれば通信可能な近距離モード（減衰強）
４）例えば数センチ以内でしか通信できない接触モード（減衰最強）
なお、第１の減衰手段１０だけで十分な効果が得られるが、より厳密な接触モードを実現するために、第２の減衰手段２０も同時に用いてもかまわない。
【００３０】
ここで、減衰させて接触モードでしか通信できなくなった場合でも、問題なく長距離モードなどに復帰できるように、第２の送受信手段２００の送信信号と、第１の送受信装置１００の受信信号は一切減衰させることなく常時通信可能となるように構成している。
【００３１】
すわなち、第２の送受信手段２００の送信信号から第１の送受信装置１００には、上記の通信距離制御モードにかかわらず常時遠距離モード（減衰なし）で通信できるようになっているので、第２の送受信手段２００からの指示により、第１の送受信装置１００において第２の減衰手段２０を制御して第１の送受信装置１００の送信信号の電波の強度を変化させることが出来る。
【００３２】
次に、移動端末１０００と親機２０００の通信モードを切り換えて報知するための仕組みについて説明する。
【００３３】
（１）まず、最初に、移動端末１０００が親機２０００の方に近づいてくる場合について説明する。図３は親機２０００の第２の制御手段２１０にて行なわれる処理の流れを示している。
【００３４】
上述したように、移動端末１０００と親機２０００は一定時間（例えば１秒）ごとに信号を送っており、この信号を親機２０００が常時モニターしており（Ｓ５００）、親機２０００がこの信号を受信した場合（Ｓ５００）、移動端末１０００が遠距離領域に入ったことを報知手段２２０から報知する（Ｓ５１０）。
【００３５】
この時に、信号に含まれたＩＤコードを親機２０００の第２の送受信手段２００が受信し、第２の制御手段２１０で処理を行ない、第２の制御手段２１０の内部に記憶されたＩＤコードと、そのＩＤコードに相当する家族の氏名に関する情報を取得して、家族のだれそれが帰宅途中であるということを報知手段２２０から報知することもできる（図示していない）。
【００３６】
次に移動端末１０００に対して、中距離モードに設定するように指示を出す（Ｓ５３０）。一定時間に以内に親機２０００が移動端末１０００からの信号を受けるかどうかモニターしておき（Ｓ５４０）、信号を受けなかったら（Ｓ５４０）、元の状態である遠距離モードに戻す（Ｓ５２０）。もし、中距離モードでも通信可能であれば（Ｓ５４０）、帰宅者が中距離モードの範囲内に入ったと判断して表示することが出来る（Ｓ５５０）。
【００３７】
この時にも、信号に含まれたＩＤコードを親機２０００の第２の送受信手段２００が受信し、第２の制御手段２１０で処理を行ない、第２の制御手段２１０の内部に記憶されたＩＤコードと、そのＩＤコードに相当する家族の氏名に関する情報を取得して、家族のだれそれが帰宅途中であるということを報知手段２２０から報知することもできる（図示していない）。
【００３８】
この状態において、さらに帰宅者が近づいてくることを想定して、親機２０００が移動端末１０００に対して、近距離モードに設定して（Ｓ５６０）、移動端末１０００から一定時間ごとに送られる信号をモニターしておき（Ｓ５６０）、この信号を検知した段階で（Ｓ５７０）、帰宅者が近距離にいることを検知できるので、同様に報知手段２２０から報知する（Ｓ５８０）。
【００３９】
この時にも、信号に含まれたＩＤコードを親機２０００の第２の送受信手段２００が受信し、第２の制御手段２１０で処理を行ない、第２の制御手段２１０の内部に記憶されたＩＤコードと、そのＩＤコードに相当する家族の氏名に関する信号を取得して、家族のだれそれが帰宅中であるということを報知手段２２０から報知することもできる（図示していない）。
【００４０】
また、ＩＤコードに相当するのが物品であっても良く、特定の物品により家族を連想するといったこともありうる。
【００４１】
最後に帰宅者がドアに近づくことを想定して、親機２０００が移動端末１０００に対して、接触モードに設定して（Ｓ５９０）、移動端末１０００から一定時間ごとに送られる信号をモニターしておき（Ｓ６００）、この信号を検知した段階で（Ｓ６００）、帰宅者が玄関ドアに着いたときに、移動端末１０００を玄関ドアに設置された親機２０００に接触させるなどして、玄関ドアのロックを開錠する（Ｓ６１０）といったことも可能である。
【００４２】
すなわち、帰宅者がドアの前まで戻った時に、親機２０００が具備した第２の制御手段２１０により、ドア施錠開錠手段（図示せず）を制御してドアの鍵を開けるといったオートアンロックのサービスが可能となる。
【００４３】
ここまでは、帰宅者が帰宅することを想定して遠距離モード、中距離モード、近距離モード、接触モードに移行するとして説明してきたが、単に帰宅者が親機の近くを通りかかっただけで帰宅しなかった場合などに備えて、親機２０００が移動端末１０００から一定時間ごとに送られる信号をモニターしておき、一定時間に経過してもこの信号を検知できなかった場合には、リセットして遠距離モードに戻して、最初（Ｓ５００）から仕切りなおしといったことを行なって、意図せぬ動作を防止することも効果的である（図示していない）。またあわせて、接触モードで開錠したドアの鍵を再び施錠する。
【００４４】
（２）次に、外出のように、移動端末１０００が親機から離れていく場合について説明する。図４は、親機２０００の第２の制御手段２１０にて行なわれる処理の流れを示している。
【００４５】
ここでも（１）と同様に、移動端末１０００と親機２０００は一定時間ごとに信号を送っており、この信号を親機２０００が常時モニターしており（Ｓ７００）、親機２０００がこの信号を受信した場合（Ｓ７００）、そのままモニターを継続（Ｓ７００）、親機２０００がこの信号を受信しなかった場合（Ｓ７００）、移動端末１０００が接触領域から出たことを報知手段２２０から報知する（Ｓ７１０）。
【００４６】
この時に、信号に含まれたＩＤコードを親機２０００の第２の送受信手段２００が受信し、第２の制御手段２１０で処理を行ない、第２の制御手段２１０の内部に記憶されたＩＤコードと、そのＩＤコードに相当する家族の氏名に関する情報を取得して、家族のだれそれであるということを報知手段２２０から報知することもできる（図示していない）。
【００４７】
ここでも、同様にＩＤコードに相当するのが物品であっても良く、特定の物品により家族を連想するといったこともありうる。
【００４８】
次に移動端末１０００に対して、近距離モードに設定するように指示を出す（Ｓ７３０）。一定時間に以内に親機２０００が移動端末１０００からの信号を受けるかどうかモニターしておき（Ｓ７４０）、信号を受ければ（Ｓ７４０）、移動端末１０００を接触モードにして（Ｓ７２０）、最初（Ｓ７００）から繰り返し、信号を受けなかったら（７４０）、移動端末１０００が近距離領域を出た（中距離に入りつつある）と判断して報知すると共に、玄関ドアロックを施錠する（Ｓ７５０）。
【００４９】
次に移動端末１０００に対して、中距離モードに設定するように指示を出す（Ｓ７６０）。一定時間に以内に親機２０００が移動端末１０００からの信号を受けるかどうかモニターしておき（Ｓ７７０）、信号を受ければ（Ｓ７７０）、Ｓ７３０に戻り、信号を受けなかったら（７７０）、移動端末１０００が中距離領域を出た（遠距離に入りつつある）と判断して報知する（Ｓ７８０）。
【００５０】
次に移動端末１０００に対して、遠距離モードに設定するように指示を出す（Ｓ７９０）。一定時間に以内に親機２０００が移動端末１０００からの信号を受けるかどうかモニターしておき（Ｓ８００）、信号を受ければ（Ｓ８００）、Ｓ７６０に戻り、信号を受けなかったら（Ｓ８００）、移動端末１０００が遠距離領域を出た（圏外に入りつつある）と判断して報知する（Ｓ８１０）。
【００５１】
なお、移動端末１０００は独自のＩＤコードを第１の制御手段１１０の内部に保持しており、特定の親機２０００とだけ通信可能であることが前提になっており、そのために第２の制御手段２１０の内部でも前記ＩＤコードを記憶しており、コード認証を行っているが、移動端末１０００はひとつだけとは限らず、それぞれ異なる独自ＩＤコードを有した複数の移動端末１０００が、ひとつの親機２０００とだけ通信可能であっても構わないし、親機２０００が複数あっても構わない。
【００５２】
ここまでの説明では、数百メートル以内で通信可能となるような遠距離モード（減衰なし）、数十メートル以内で通信可能な中距離モード（減衰中程度）、数メートル以内であれば通信可能な近距離モード（減衰強）、例えば数センチ以内でしか通信できない接触モード（減衰最強）といった電波強弱による通信距離制御モードを定義してきたが、必ずしもこれに拘る必要は無く、数キロメートルを遠距離モードとして、それを超えない中距離モードといった形式に置き換えてもかまわない。
【００５３】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【００５４】
なお、本実施の形態では小電力無線通信で説明したが、これに限らない。
【００５５】
なお、本実施の形態の移動端末を自動車や自転車などの移動手段に備えても良い。また携帯電話であってもよいし、親機２０００は家庭内に設置されるとしたが、事務所、あるいは、学校などであってももちろんかまわない。
【００５６】
なお、実施の形態１において親機側に第１の送受信手段を、移動端末側に第２の送受信手段を備えるようにしてもよい。
【００５７】
また、通信距離の段階的な制御を行う回路構成は図２に限定しない。
【産業上の利用可能性】
【００５８】
以上のように、本発明の移動通信システムは、移動端末を持つ家族が自宅に近づいていることを知り、しかもその距離を段階的に知ることが出来るので、帰宅に備えた準備を前もってすることが出来る。
【００５９】
あるいは、逆に外出については、移動端末を持つ家族が自宅からどこまで離れたところに行ったのかを知り、しかもその距離を段階的に知ることも出来る。
【００６０】
特に、昨今のように子供が被害者となる犯罪が多い状況において、子供が帰宅中であり自宅に近づいていることをリアルタイムで知ることにより、安心感を得ることもできるような簡便な移動通信システムを提供する。
【図面の簡単な説明】
【００６１】
【図１】本発明の実施の形態１における移動通信システム構成の一例図
【図２】本発明の実施の形態１における第１の送受信手段と、第２の送受信手段の詳細内部構成の一例図
【図３】本発明の実施の形態１における第２の制御手段２１０にて行なわれる、移動端末１０００が親機２０００に近づく場合の処理の流れの一例図
【図４】本発明の実施の形態１における第２の制御手段２１０にて行なわれる、移動端末１０００が親機２０００から離れていく場合の処理の流れの一例図
【符号の説明】
【００６２】
１０  第１の減衰手段
１１  第１の送信手段
１２  第１の受信手段
１３  第１の送受信制御手段
２０  第２の減衰手段
２１  第２の送信手段
２２  第２の受信手段
２３  第２の送受信制御手段
１００  第１の送受信手段
１１０  第１の制御手段（独自のＩＤコードを保持している）
２００  第２の送受信手段
２１０  第２の制御手段（予め登録された特定のＩＤコードだけを認証する）
２２０  報知手段
１０００  移動端末
２０００  親機
【図１】
2006304141.tif 000003
【図２】
2006304141.tif 000004
【図３】
2006304141.tif 000005
【図４】
2006304141.tif 000006